(57)【要約】【課題】股部の両側に設けられた弾性部材の収縮力が好適に発揮され、着用者から排泄された尿等を好適に受けることができる使い捨てパンツ型おむつを提供する。【解決手段】パンツ形状に形成された外装部材２と、外装部材２の股部Ｒに設けられた吸収性本体７と、吸収性本体７の幅方向の一方側に配され、吸収性本体７のバックシートに設けられた第１股部弾性部材１１と、吸収性本体７の幅方向の他方側に配され、吸収性本体７のバックシートに設けられた第２股部弾性部材１２と、外装部材２に設けられ、股部Ｒを横断し脚開口部４の前側の縁に沿って延び、第１および第２股部弾性部材１１，１２を跨って断続的に設けられた第１脚部弾性部材１７と、外装部材２に設けられ、股部Ｒを横断し脚開口部４の後側の縁に沿って延び、第１および第２股部弾性部材１１，１２を跨って断続的に設けられた第２脚部弾性部材１８とを有する使い捨てパンツ型おむつ。【選択図】図１
2014180347.tif 000002
【特許請求の範囲】
【請求項１】
前腹部と後背部とこれらの間に位置する股部とから構成され、ウェスト開口部と一対の脚開口部を有するパンツ形状に形成された外装部材と、
前記外装部材の股部に取り付けられ、トップシートとバックシートとこれらの間に配された吸収性コアを有する吸収性本体と、
前記吸収性本体の幅方向の一方側に配され、前記バックシートに設けられた第１股部弾性部材と、
前記吸収性本体の幅方向の他方側に配され、前記バックシートに設けられた第２股部弾性部材と、
前記外装部材に設けられ、前記股部を横断し前記脚開口部の前側の縁に沿って延び、前記第１股部弾性部材と前記第２股部弾性部材を跨って断続的に設けられた第１脚部弾性部材と、
前記外装部材に設けられ、前記股部を横断し前記脚開口部の後側の縁に沿って延び、前記第１股部弾性部材と前記第２股部弾性部材を跨って断続的に設けられた第２脚部弾性部材とを有することを特徴とする使い捨てパンツ型おむつ。
【請求項２】
前記第１股部弾性部材と前記第２股部弾性部材は、前記吸収性コアの幅方向の端縁から内方に３０ｍｍ以内および外方に１０ｍｍ以内の領域に設けられている請求項１に記載の使い捨てパンツ型おむつ。
【請求項３】
前記第１股部弾性部材と前記第２股部弾性部材は、前記吸収性コアと前記バックシートの間に設けられている請求項１または２に記載の使い捨てパンツ型おむつ。
【請求項４】
前記吸収性本体は、前記第１股部弾性部材と前記第２股部弾性部材の間で前記外装部材に固定され、前記第１股部弾性部材が第１および第２脚部弾性部材に重なる部分とそれより幅方向の外方部分で前記外装部材に固定されず、前記第２股部弾性部材が第１および第２脚部弾性部材に重なる部分とそれより幅方向の外方部分で前記外装部材に固定されていない請求項１〜３のいずれか一項に記載の使い捨てパンツ型おむつ。
【請求項５】
前記吸収性本体は、幅方向の両端部に前記吸収性コアの存在しない辺縁部が形成され
前記辺縁部は、前記第１および第２脚部弾性部材と重なる部分で前記外装部材に固定されていない請求項１〜４のいずれか一項に記載の使い捨てパンツ型おむつ。
【請求項６】
前記吸収性本体は、前記外装部材の外縁よりも幅方向の外方に延在しないように形成されている請求項５に記載の使い捨てパンツ型おむつ。
【請求項７】
前記辺縁部は１０ｍｍ以上５０ｍｍ以下の幅で設けられている請求項５または６に記載の使い捨てパンツ型おむつ。
【発明の詳細な説明】
【技術分野】
【０００１】
本発明は、幼児用または大人用の使い捨てパンツ型おむつに関するものである。
【背景技術】
【０００２】
従来、使い捨てパンツ型おむつが広く知られている。使い捨てパンツ型おむつは、例えば、パンツ形状に形成された外装部材の股部に、トップシートとバックシートの間に吸収性コアが配された吸収性本体が取り付けられて構成されている。使い捨てパンツ型おむつには様々な弾性部材が設けられており、例えば特許文献１，２には、外装部材の脚開口部の縁に沿って脚部弾性部材が設けられるとともに、吸収性本体の幅方向の両側に股部弾性部材が設けられた使い捨てパンツ型おむつが開示されている。また、使い捨ておむつに設けられた弾性部材の一部を切断して、弾性部材の伸縮力を制御する方法も知られており、例えば特許文献３には、股部を横断し脚開口部に沿って脚部弾性部材を設け、脚部弾性部材の股部を横断する部分を断続的に設けた使い捨てパンツ型おむつが開示されている。
【先行技術文献】
【特許文献】
【０００３】
【特許文献１】特開２００４−４９７６３号公報
【特許文献２】特開２００４−１０５７０４号公報
【特許文献３】特開２００２−２７２７８４号公報
【発明の概要】
【発明が解決しようとする課題】
【０００４】
特許文献１，２に開示されるように、外装部材の脚開口部の縁に沿って脚部弾性部材が設けられるとともに、吸収性本体の幅方向の両側に股部弾性部材が設けられた使い捨てパンツ型おむつでは、一方の弾性部材の伸縮が他方の弾性部材の伸縮に影響を及ぼし、それぞれの弾性部材が所望する機能を十分発揮できなくなるおそれがある。この場合、尿等の漏れが起こることが懸念される。
【０００５】
本発明は前記事情に鑑みてなされたものであり、その目的は、外装部材の脚開口部の縁に沿って脚部弾性部材が設けられるとともに、外装部材の股部に取り付けられた吸収性本体の幅方向の両側に股部弾性部材が設けられた使い捨てパンツ型であって、股部弾性部材の収縮力が好適に発揮され、着用者から排泄された尿等を好適に受けることができる使い捨てパンツ型おむつを提供することにある。
【課題を解決するための手段】
【０００６】
前記課題を解決することができた本発明の使い捨てパンツ型おむつとは、前腹部と後背部とこれらの間に位置する股部とから構成され、ウェスト開口部と一対の脚開口部を有するパンツ形状に形成された外装部材と；外装部材の股部に取り付けられ、トップシートとバックシートとこれらの間に配された吸収性コアを有する吸収性本体と；吸収性本体の幅方向の一方側に配され、バックシートに設けられた第１股部弾性部材と；吸収性本体の幅方向の他方側に配され、バックシートに設けられた第２股部弾性部材と；外装部材に設けられ、股部を横断し脚開口部の前側の縁に沿って延び、第１股部弾性部材と第２股部弾性部材を跨って断続的に設けられた第１脚部弾性部材と；外装部材に設けられ、股部を横断し脚開口部の後側の縁に沿って延び、第１股部弾性部材と第２股部弾性部材を跨って断続的に設けられた第２脚部弾性部材とを有するところに特徴を有する。
【０００７】
本発明の使い捨てパンツ型おむつは、第１股部弾性部材と第２股部弾性部材が設けられることにより、吸収性コアが着用者の肌に向かって持ち上げられ、着用者から排泄された尿等を好適に受けることができる。また、第１脚部弾性部材と第２脚部弾性部材とにより、脚開口部の縁のほぼ全周にわたり弾性部材が設けられ、着用者の脚周りに沿ったレッグギャザーが形成され、股部からの尿等の排泄物の漏れが防止される。この際、第１脚部弾性部材が、第１股部弾性部材と第２股部弾性部材を跨って断続的に設けられ、第２脚部弾性部材が、第１股部弾性部材と第２股部弾性部材を跨って断続的に設けられているため、それぞれの弾性部材が所望する機能を好適に発揮できるようになる。特に、第１股部弾性部材と第２股部弾性部材の収縮力が好適に発揮され、吸収性コアが着用者の肌に向かって持ち上げられ、着用者から排泄された尿等を好適に受けることができる。
【０００８】
第１股部弾性部材と第２股部弾性部材は、吸収性コアの幅方向の端縁から内方に３０ｍｍ以内および外方に１０ｍｍ以内の領域に設けられていることが好ましい。また、第１股部弾性部材と第２股部弾性部材は、吸収性コアとバックシートの間に設けられていることが好ましい。このように第１股部弾性部材と第２股部弾性部材が設けられれば、第１股部弾性部材と第２股部弾性部材の収縮力によって吸収性コアの幅方向の両端部が持ち上げられ、着用者から排泄された尿等を好適に受けることができる。
【０００９】
吸収性本体は、第１股部弾性部材と第２股部弾性部材の間で外装部材に固定され、第１股部弾性部材が第１および第２脚部弾性部材に重なる部分とそれより幅方向の外方部分で外装部材に固定されず、第２股部弾性部材が第１および第２脚部弾性部材に重なる部分とそれより幅方向の外方部分で外装部材に固定されないように形成されてもよい。このように吸収性本体が外装部材に固定されていれば（あるいは固定されていなければ）、第１および第２股部弾性部材の収縮力によって吸収性本体の幅方向の両端部が外装部材から離れて持ち上がり、吸収性本体が幅方向断面において中央が窪んで形成されやすくなり、着用者から排泄された尿等を好適に受けることができる。
【００１０】
また吸収性本体は、幅方向の両端部に吸収性コアの存在しない辺縁部が形成され、辺縁部が、第１および第２脚部弾性部材と重なる部分で外装部材に固定されていなくてもよい。このように吸収性本体の幅方向の両端部に辺縁部が形成されることで、第１および第２股部弾性部材の収縮力によって辺縁部にギャザーが形成され、脚開口部の縁のレッグギャザーを補完できるようになる。そのため、使い捨てパンツ型おむつは見栄えが良くなるとともに、着用者の脚周りの着用感も向上する。
【００１１】
吸収性本体は、外装部材の外縁よりも幅方向の外方に延在しないように形成されていることが好ましい。このように吸収性本体が形成されていれば、第１および第２脚部弾性部材の収縮力によって外装部材が縮んでも、辺縁部によって形成されるギャザーが外装部材から大きくはみ出しにくくなり、おむつの見栄えが良くなるとともに、着用感が向上する。
【００１２】
辺縁部は１０ｍｍ以上５０ｍｍ以下の幅で設けられていることが好ましい。このように辺縁部が形成されれば、辺縁部が好適にレッグギャザーを補完できる。
【発明の効果】
【００１３】
本発明の使い捨てパンツ型おむつによれば、吸収性本体の幅方向の両側に設けられた第１股部弾性部材と第２股部弾性部材を跨いで第１および第２脚部弾性部材が断続的に設けられているため、第１股部弾性部材と第２股部弾性部材の収縮力が好適に発揮され、吸収性コアが着用者の肌に向かって持ち上げられ、着用者から排泄された尿等を好適に受けることができる。
【図面の簡単な説明】
【００１４】
【図１】本発明の使い捨てパンツ型おむつの一例を表し、使い捨てパンツ型おむつの斜視図を表す。
【図２】図１に示した使い捨てパンツ型おむつの前腹部と後背部との接合を解いて展開した状態を肌側面から見た平面図を表す。
【図３】図１に示した使い捨てパンツ型おむつの前腹部と後背部との接合を解いて展開した状態を外側面から見た平面図を表す。
【図４】図２および図３に示した使い捨てパンツ型おむつのＡ−Ａ断面図を表す。
【図５】本発明の使い捨てパンツ型おむつの他の例を表し、使い捨てパンツ型おむつの斜視図を表す。
【図６】図５に示した使い捨てパンツ型おむつの前腹部と後背部との接合を解いて展開した状態を肌側面から見た平面図を表す。
【図７】図５に示した使い捨てパンツ型おむつの前腹部と後背部との接合を解いて展開した状態を外側面から見た平面図を表す。
【図８】図６および図７に示した使い捨てパンツ型おむつのＢ−Ｂ断面図を表す。
【発明を実施するための形態】
【００１５】
本発明の使い捨てパンツ型おむつについて、図面を参照して説明する。なお本発明は、図面に示された実施態様に限定されるものではない。図１〜図４には、本発明の使い捨てパンツ型おむつの一例を示す。図１は使い捨てパンツ型おむつの斜視図を表し、図２は、図１に示した使い捨てパンツ型おむつの前腹部と後背部との接合を解いて平面に展開した状態を肌側面から見た図を表し、図３は、図１に示した使い捨てパンツ型おむつの前腹部と後背部との接合を解いて平面に展開した状態を外側面から見た図を表し、図４は、図２および図３に示した使い捨てパンツ型おむつのＡ−Ａ断面図を表す。なお図面では、矢印ｘが幅方向、矢印ｙが前後方向を表し、矢印ｘ，ｙにより形成される面に対して垂直方向が厚み方向ｚを表す。
【００１６】
図１〜図４に示した使い捨てパンツ型おむつ１（１Ａ）は、ウェスト開口部３と一対の脚開口部４を有するパンツ形状に形成された外装部材２を有する。ウェスト開口部３は着用者の胴を通すための開口であり、脚開口部４は着用者の脚を通すための開口である。
【００１７】
外装部材２は、前腹部Ｐと後背部Ｑとこれらの間に位置する股部Ｒとから構成される。外装部材２は、例えば、前腹部Ｐと後背部Ｑとを幅方向ｘの両端の接合部１６で接合することによりパンツ形状に形成される。前腹部Ｐは、おむつを着用の際に着用者の腹側に当てる部分に相当し、後背部Ｑは、おむつを着用の際に着用者の背側に当てる部分に相当する。股部Ｒは、前腹部Ｐと後背部Ｑとの間に位置し、着用者の股間に当てる部分に相当する。股部Ｒの幅方向の両側には、脚開口部４が形成される。股部Ｒは、例えば、外装部材２の前腹部Ｐと後背部Ｑとの接合を解いて平面に展開した状態で、外装部材２を前後方向に３分割した中間に位置する部分であり、パンツ形状に形成された場合に幅方向ｘの両側で互いに接合されない。
【００１８】
使い捨てパンツ型おむつにおいて、前後方向とは、前腹部Ｐから後背部Ｑにかけての方向を意味し、おむつを着用した際の着用者の股間の前後方向に相当する。幅方向とは、おむつを着用した際の着用者の左右方向に相当する。使い捨てパンツ型おむつの肌側面とは、おむつを着用した際、着用者の肌に向く側の面を意味する。使い捨てパンツ型おむつの外側面とは、おむつを着用した際、着用者とは反対側を向く面を意味する。
【００１９】
外装部材２は、１層のみから構成されていてもよく、複数層から構成されていてもよい。好ましくは、外装部材２は、外側シート５と、外側シート５の肌側面に積層された内側シート６から構成される。
【００２０】
外装部材２の股部Ｒには、吸収性本体７が取り付けられている。吸収性本体７は、トップシート８とバックシート９とこれらの間に配された吸収性コア１０を有する（図４参照）。トップシート８は吸収性コア１０よりも着用者側に配され、バックシート９は吸収性コア１０よりも外側（着用者の反対側）に配される。吸収性本体７は、バックシート９が外装部材２の肌側面に取り付けられる。吸収性本体７は、外装部材２の少なくとも股部Ｒに存在すればよく、さらに前腹部Ｐおよび／または後背部Ｑに延在してもよい。
【００２１】
図４では、バックシート９がトップシート８よりも幅広に形成され、バックシート９が吸収性本体７の幅方向ｘの端縁で折り返されてトップシート８に接合されている。なお、トップシート８とバックシート９との関係は図４に示された態様に限定されず、例えば、トップシート８とバックシート９が同幅で形成されてもよい。
【００２２】
吸収性コア１０の形状（平面形状）は特に限定されない。吸収性コア１０の形状としては、例えば、略長方形、砂時計型、ひょうたん型、羽子板型等が挙げられる。図２および図３では、吸収性コア１０は略長方形状に形成されている。
【００２３】
吸収性本体７には、幅方向ｘの一方側に第１股部弾性部材１１が設けられ、他方側に第２股部弾性部材１２が設けられている（図３および図４参照）。第１股部弾性部材１１と第２股部弾性部材１２はバックシート９に設けられる。第１股部弾性部材１１と第２股部弾性部材１２が設けられることにより、吸収性コア１０が着用者の肌に向かって持ち上げられ、着用者から排泄された尿等を好適に受けることができるようになる。
【００２４】
第１股部弾性部材１１と第２股部弾性部材１２は前後方向ｙに延びるように設けられることが好ましい。第１股部弾性部材１１と第２股部弾性部材１２はバックシート９の肌側面に設けられてもよく、外側面に設けられてもよい。第１股部弾性部材１１と第２股部弾性部材１２がバックシート９の肌側面に設けられる場合は、第１および第２股部弾性部材１１，１２は、例えば、トップシート８とバックシート９の間や、吸収性コア１０とバックシート９の間に設けられればよい。バックシート９が積層されて構成される場合は、積層されたバックシート間に設けられてもよい。
【００２５】
第１股部弾性部材１１と第２股部弾性部材１２は吸収性コア１０の幅方向ｘの端縁近傍に設けられることが好ましい。図３および図４では、第１および第２股部弾性部材１１，１２が吸収性コア１０と重なるように設けられているが、吸収性コア１０が吸収性本体７よりも幅狭に形成される場合は、第１および第２股部弾性部材１１，１２は吸収性コア１０の幅方向ｘの端縁よりも外方に設けられてもよい。
【００２６】
第１股部弾性部材１１と第２股部弾性部材１２は、吸収性コア１０の幅方向ｘの端縁から内方に３０ｍｍ以内および外方に１０ｍｍ以内の領域に設けられることが好ましい。より好ましくは、第１股部弾性部材１１と第２股部弾性部材１２が設けられる領域は、吸収性コア１０の幅方向ｘの端縁から、内方に対して２５ｍｍ以内であり、外方に対しては８ｍｍ以内がより好ましく、５ｍｍ以内がさらに好ましく、吸収性コア１０と重なるように設けられることが特に好ましい。第１および第２股部弾性部材１１，１２が吸収性コア１０と重なるように設けられる場合、第１および第２股部弾性部材１１，１２は吸収性コア１０とバックシート９の間に設けられることが好ましい。このように第１および第２股部弾性部材１１，１２が設けられれば、第１および第２股部弾性部材１１，１２の収縮力によって吸収性コア１０の幅方向ｘの両端部が持ち上げられ、着用者から排泄された尿等を好適に受けることができるようになる。
【００２７】
第１股部弾性部材１１と第２股部弾性部材１２はまた、外装部材２の外縁からはみ出さないように設けられることが好ましい。このように第１および第２股部弾性部材１１，１２が設けられれば、後述する第１および第２脚部弾性部材１７，１８が脚開口部４の縁に沿って配される部分が十分確保され、脚開口部４の縁に沿って十分にレッグギャザーが形成されやすくなる。
【００２８】
第１股部弾性部材１１と第２股部弾性部材１２を構成する弾性部材の本数は特に限定されない。図３および図４では、第１股部弾性部材１１と第２股部弾性部材１２がそれぞれ２本ずつ配されているが、それぞれ１本ずつ配されてもよく、３本以上配されてもよい。
【００２９】
外装部材２には、脚開口部４の縁に沿って、第１脚部弾性部材１７と第２脚部弾性部材１８が設けられている。第１脚部弾性部材１７は、股部Ｒを横断し、脚開口部４の前側の縁に沿って設けられている。第２脚部弾性部材１８は、股部Ｒを横断し、脚開口部４の後側の縁に沿って設けられている。第１脚部弾性部材１７と第２脚部弾性部材１８とにより、脚開口部４の縁のほぼ全周にわたり弾性部材が設けられ、着用者の脚周りに沿ったレッグギャザーが形成され、股部からの尿等の排泄物の漏れが防止される。また、このように第１および第２脚部弾性部材１７，１８を設けることにより、外装部材２を連続製造する際に、外装部材２に第１脚部弾性部材１７と第２脚部弾性部材１８を容易に配設できる。第１脚部弾性部材１７と第２脚部弾性部材１８はいずれも第１および第２股部弾性部材１１，１２と交差するように設けられている。なお、図面では、第１脚部弾性部材１７と第２脚部弾性部材１８が互いに離間して設けられているが、第１脚部弾性部材１７と第２脚部弾性部材１８は互いに接していたり交差していてもよい。
【００３０】
第１脚部弾性部材１７と第２脚部弾性部材１８を構成する弾性部材の本数は特に限定されない。図面では、第１脚部弾性部材１７と第２脚部弾性部材１８がそれぞれ２本ずつ配されているが、それぞれ１本ずつ配されてもよく、３本以上配されてもよい。
【００３１】
ところで、第１および第２股部弾性部材１１，１２が第１および第２脚部弾性部材１７，１８と交差するように設けられる場合、一方の弾性部材の伸縮が他方の弾性部材の伸縮に影響を及ぼし、それぞれの弾性部材が所望する機能を十分発揮できずに、尿等の漏れを引き起こすことが懸念される。例えば、第１および第２脚部弾性部材１７，１８の収縮力によって、第１および第２股部弾性部材１１，１２による吸収性コア１０を持ち上げる効果が好適に発揮されなかったり、逆に第１および第２股部弾性部材１１，１２の収縮力によって、第１および第２脚部弾性部材１７，１８によるレッグギャザーの形成に偏りが出て、おむつの脚周りに隙間が生じたりすることが懸念される。
【００３２】
そこで本発明の使い捨てパンツ型おむつでは、第１脚部弾性部材１７を、第１股部弾性部材１１と第２股部弾性部材１２を跨って断続的に設け、第２脚部弾性部材１８を、第１股部弾性部材１１と第２股部弾性部材１２を跨って断続的に設けている。つまり第１および第２脚部弾性部材１７，１８は、第１および第２股部弾性部材１１，１２の幅方向の外方で断続的に設けられるとともに、第１股部弾性部材１１と第２股部弾性部材１２との間でも断続的に設けられている。このように第１および第２脚部弾性部材１７，１８を設けることにより、第１および第２股部弾性部材１１，１２が第１および第２脚部弾性部材１７，１８と交差する部分で、第１および第２脚部弾性部材１７，１８の収縮力がほとんど発現しないようになり、それぞれの弾性部材が所望する機能を好適に発揮できるようになる。特に、第１股部弾性部材１１と第２股部弾性部材１２の収縮力が好適に発揮され、吸収性コア１０が着用者の肌に向かって持ち上げられ、着用者から排泄された尿等を好適に受けることができる。なお本発明において、吸収性本体７と外装部材２との位置関係（第１および第２股部弾性部材１１，１２と第１および第２脚部弾性部材１７，１８との位置関係も含む）は、使い捨てパンツ型おむつに配される弾性部材を完全に伸張させた状態（すなわち、弾性部材を除去した状態あるいは弾性部材を細かく切断して弾性部材の収縮力が発現しない状態）で規定する。本発明に関する様々な長さの好適範囲に関しても、同様の条件で測定される。
【００３３】
第１および第２脚部弾性部材１７，１８を断続的に設ける方法としては、例えば、第１および第２脚部弾性部材１７，１８を外装部材２に固定した後、第１および第２脚部弾性部材１７，１８が固定された外装部材２を、表面に切断刃が複数設けられたロールカッターとフラットロールとで挟んで送り出す方法が挙げられる。このような方法によれば、第１および第２脚部弾性部材１７，１８を股部Ｒで断続的に設けることを簡単に行うことができる。
【００３４】
吸収性本体７は、第１股部弾性部材１１と第２股部弾性部材１２の間で外装部材２に固定され、第１股部弾性部材１１が第１および第２脚部弾性部材１７，１８に重なる部分とそれより幅方向ｘの外方部分で外装部材２に固定されず、第２股部弾性部材１２が第１および第２脚部弾性部材１７，１８に重なる部分とそれより幅方向ｘの外方部分で外装部材２に固定されないように形成されていてもよい。このように吸収性本体７が外装部材２に固定されていれば（あるいは固定されていなければ）、第１および第２股部弾性部材１１，１２の収縮力によって吸収性本体７の幅方向ｘの両端部が外装部材２から離れて持ち上がり、吸収性本体７が幅方向断面において中央が窪んで形成されやすくなり、着用者から排泄された尿等を好適に受けることができるようになる。好ましくは、吸収性本体７は、第１および第２股部弾性部材１１，１２が第１および第２脚部弾性部材１７，１８と重なる部分の前側端から後側端に至る領域で、外装部材２に固定されていない。図３では吸収性本体７が外装部材２に固定されている箇所をクロスハッチングで表し、図４では×印で表している。
【００３５】
一方、吸収性本体７の前後方向ｙの両端部では、吸収性本体７の幅方向ｘの両端部が捲れ上がるのを防止するために、幅方向ｘの全体にわたって外装部材２に固定されることが好ましい。吸収性本体７は、例えば図３に示すように、略Ｉ字状に形成された接合領域で外装部材２に固定されることが好ましい。吸収性本体７は、例えば、接着剤等の固定手段により、外装部材２に固定されればよい。
【００３６】
吸収性コア１０は、外装部材２の股部Ｒの最も幅狭な部分の幅よりも狭く形成されることが好ましい。このように吸収性コア１０が形成されれば、吸収性コア１０によって第１および第２脚部弾性部材１７，１８の伸縮が阻害される部分が減り、脚開口部４の縁に沿って十分にレッグギャザーが形成されやすくなる。
【００３７】
吸収性コア１０としては、後述するシート状吸収体を用いてもよい。吸収性コア１０としてシート状吸収体を用いれば、吸収性コア１０を薄く形成することができ、第１および第２股部弾性部材１１，１２により吸収性コア１０が好適に持ち上げられやすくなる。また、第１股部弾性部材１１と第２股部弾性部材１２を跨いで第１および第２脚部弾性部材１７，１８が断続的に設けられることにより、吸収性コア１０が薄く形成されていても、歪んだり、幅方向ｘに折れ曲がったりしにくくなる。
【００３８】
吸収性本体７には、吸収性コア１０の幅方向ｘの両側に立ち上がりフラップ１３が設けられることが好ましい（図２および図４参照）。立ち上がりフラップ１３を設けることにより、尿等の排泄物の横漏れを防ぐことができる。立ち上がりフラップ１３は、液不透過性であることが好ましい。
【００３９】
立ち上がりフラップ１３が立ち上がった状態の上端部（着用者側の端部）には、起立用弾性部材１４が設けられることが好ましい。起立用弾性部材１４の収縮力により、立ち上がりフラップ１３が起立しやすくなる。
【００４０】
外装部材２の前後方向ｙの端部には、ウェスト開口部３の縁に沿って、複数の腰部弾性部材１９が設けられることが好ましい。腰部弾性部材１９により着用者の腰周りに沿ったウェストギャザーが形成され、背中側や腹部側からの尿等の排泄物の漏れが防止される。
【００４１】
外装部材２の前腹部Ｐと後背部Ｑには、幅方向ｘに延びる複数の胴部弾性部材２０が設けられることが好ましい。胴部弾性部材２０は、腰部弾性部材１９と脚開口部４の間に、腰部弾性部材１９よりも広い間隔で配されることが好ましく、胴部弾性部材２０により、着用者の胴回りのフィット性が高められる。
【００４２】
外装部材２に設けられる第１および第２脚部弾性部材１７，１８、腰部弾性部材１９、胴部弾性部材２０については、図面に示すように外装部材２が外側シート５と内側シート６とから構成されている場合は、外側シート５と内側シート６の間に配されることが好ましい。
【００４３】
使い捨てパンツ型おむつに設けられる各弾性部材としては、ポリウレタン糸、ポリウレタンフィルム、天然ゴム等の通常の使い捨ておむつに用いられる弾性伸縮材料を用いることができる。各弾性部材は、伸張状態でおむつに固定されることが好ましく、また、ホットメルト接着剤等の接着剤で固定されることが好ましい。例えば、繊度１００〜２，５００ｄｔｅｘのポリウレタン糸を、倍率１．１〜５．０倍に伸張して配設し、固定する。接着剤としては、ゴム系のホットメルト接着剤を用いることが好ましい。
【００４４】
次に、本発明の使い捨ておむつの他の一例について、図５〜図８を参照して説明する。図５は使い捨てパンツ型おむつの斜視図を表し、図６は、図５に示した使い捨てパンツ型おむつの前腹部と後背部との接合を解いて平面に展開した状態を肌側面から見た図を表し、図７は、図５に示した使い捨てパンツ型おむつの前腹部と後背部との接合を解いて平面に展開した状態を外側面から見た図を表し、図８は、図６および図７に示した使い捨てパンツ型おむつのＢ−Ｂ断面図を表す。なお下記の説明において、上記の実施態様と重複する部分の説明は省略する。
【００４５】
図５〜図８に示した使い捨てパンツ型おむつ１（１Ｂ）は、吸収性本体７の構成を除いて、上記実施態様と同じである。使い捨てパンツ型おむつ１Ｂでは、吸収性本体７の幅方向ｘの両端部に吸収性コア１０の存在しない辺縁部１５が形成され、辺縁部１５が第１および第２脚部弾性部材１７，１８と重なる部分で外装部材２に固定しないようにしている。図７では吸収性本体７が外装部材２に固定されている箇所をクロスハッチングで表し、図８では×印で表している。
【００４６】
本発明の使い捨てパンツ型おむつ１では、第１および第２脚部弾性部材１７，１８が股部Ｒを横断する部分で比較的広い範囲で断続的に設けられるため、脚開口部４の縁の一部において、第１および第２脚部弾性部材１７，１８による収縮力が作用せずにレッグギャザーが好適に形成されないおそれがある。しかし、吸収性本体７の幅方向ｘの両端部に吸収性コア１０の存在しない辺縁部１５を形成し、辺縁部１５が第１および第２脚部弾性部材１７，１８と重なる部分で外装部材２に固定しないようにすることで、辺縁部１５に、第１および第２股部弾性部材１１，１２の収縮力によってギャザーが形成され、脚開口部４の縁のレッグギャザーを補完できるようになる。つまり、脚開口部４の縁において、第１および第２脚部弾性部材１７，１８によってレッグギャザーが好適に形成されにくい部分に、辺縁部１５によるギャザーが形成されて、脚開口部４の縁の全体にわたって好適にギャザーが形成されやすくなる。そのため、使い捨てパンツ型おむつ１Ｂは見栄えが良くなるとともに、着用者の脚周りの着用感も向上する。
【００４７】
辺縁部１５は、吸収性本体７の幅方向ｘの両端部において、吸収性コア１０が存在しない部分に相当する。すなわち、吸収性本体７は、吸収性コア１０の幅方向ｘの端縁より外方に辺縁部１５が形成される。辺縁部１５は、吸収性本体７の幅方向ｘの端縁を含む部分として規定される。図８では、バックシート９がトップシート８よりも幅広に形成され、バックシート９が吸収性本体７の幅方向ｘの端縁で折り返されることにより、吸収性コア１０の存在しない辺縁部１５が形成されている。このとき、折り返されたバックシート９どうしは、接着剤等の接合手段で互いに接合していることが好ましい。なお図面には示されていないが、辺縁部１５はトップシート８とバックシート９が積層されて構成されてもよく、トップシート８により構成されてもよい。
【００４８】
辺縁部１５の幅は特に限定されないが、辺縁部１５の幅は１０ｍｍ以上が好ましく、１５ｍｍ以上がより好ましく、２０ｍｍ以上がさらに好ましく、また５０ｍｍ以下が好ましく、４０ｍｍ以下がより好ましい。このように辺縁部１５が形成されれば、辺縁部１５が好適にレッグギャザーを補完できる。なお辺縁部１５の幅とは、辺縁部１５の幅方向ｘに対する最大長さを意味する。
【００４９】
辺縁部１５は、吸収性本体７の前後方向ｙの全体にわたって設けられてもよく、一部のみに設けられてもよい。例えば、吸収性コア１０が砂時計型の形状である場合などは、辺縁部１５は吸収性本体７の前後方向ｙの中央部に形成され、吸収性本体７の前後方向ｙの両端部には形成されない場合もある。
【００５０】
辺縁部１５は、少なくとも第１および第２脚部弾性部材１７，１８と重なる部分で外装部材２に固定されていなければよいが、好ましくは、辺縁部１５は前後方向ｙにある程度広い範囲で外装部材２に固定されない。従って、図７に示すように、辺縁部１５は、第１および第２脚部弾性部材１７，１８と重なる部分の前側端から後側端に至る領域で外装部材２に固定されていないことが好ましい。なお、吸収性本体７の前後方向ｙの両端部では辺縁部１５は外装部材２に固定されていることが好ましく、その結果、おむつを着用した状態でも辺縁部１５が常に幅方向ｘの外方に向かって延びて、辺縁部１５によって好適にレッグギャザーが補完されやすくなる。
【００５１】
吸収性本体７に辺縁部１５が形成される場合、吸収性本体７が外装部材２の外縁よりも幅方向ｘの外方に延在しないように形成されていることが好ましい。詳細には、おむつに配される弾性部材を完全に伸張させた状態で、吸収性本体７が外装部材２の外縁よりも幅方向ｘの外方に延在しないように形成されていることが好ましい。このように吸収性本体７が形成されていれば、第１および第２脚部弾性部材１７，１８の収縮力によって外装部材２が縮んでも、辺縁部１５によって形成されるギャザーが外装部材２から大きくはみ出しにくくなり、おむつの見栄えが良くなるとともに、着用感が向上する。
【００５２】
一方、吸収性本体７の幅（幅方向ｘに対する最大長さ）は、外装部材２の股部Ｒの最も幅狭な部分の幅と同じかそれよりも広く形成されることが好ましい。より好ましくは、図６および図７に示すように、吸収性本体７の幅は、外装部材２の股部Ｒの最も幅狭な部分の幅よりも広く形成される。吸収性本体７がこのように形成されれば、辺縁部１５によって形成されるギャザーが、前後方向ｙの広い範囲でレッグギャザーを補完できるようになる。
【００５３】
吸収性本体７に辺縁部１５が形成される場合、立ち上がりフラップ１３は、立ち上がる基点となる起立基部が、吸収性本体７の幅方向ｘの端縁よりも内方に位置することが好ましく、吸収性コア１０の幅方向ｘの端縁近傍に位置することが好ましい。このように立ち上がりフラップ１３が設けられることにより、辺縁部１５が立ち上がりフラップ１３につられて立ち上がりにくくなり、辺縁部１５によって形成されるギャザーが好適にレッグギャザーを補完できるようになる。例えば、立ち上がりフラップ１３の起立基部は、吸収性本体７の幅方向ｘの端縁から１０ｍｍ以上内方にあることが好ましく、１５ｍｍ以上内方にあることがより好ましく、２０ｍｍ以上内方にあることがさらに好ましい。
【００５４】
本発明の使い捨てパンツ型おむつを構成する各部材の材料について説明する。トップシートは、おむつ着用の際に着用者側に位置するシートであり、液透過性であることが好ましい。トップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルム等を用いてもよい。
【００５５】
バックシートは、おむつ着用の際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性には撥水性の意味も含まれる。
【００５６】
外装部材は、液透過性であっても液不透過性であってもよく、トップシートやバックシートに使用可能なシート材料を用いることができる。外装部材は、内側シートに外側シートが積層されて形成されることが好ましく、親水性の内側シートに液不透過性の外側シートが積層されて形成されることがより好ましい。この場合、内側シートとしてはトップシートに使用可能なシート材料を用いることができ、外側シートとしてはバックシートに使用可能なシート材料を用いることができる。
【００５７】
上記説明した各シート材料として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００５８】
吸収性コアは、尿等の排泄物を吸収できる吸収性材料を含むものであれば特に限定されない。吸収性コアとしては、例えば、吸収性材料を所定形状に成形した成形体を用いることができる。吸収性コアは、紙シート（例えば、ティッシュペーパーや薄葉紙）や液透過性不織布等のシート部材で覆われてもよい。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００５９】
吸収性材料は、尿等の吸収速度を高める点から、親水性繊維を含むことが好ましい。また、吸収容量を高める点からは、吸収性材料は吸水性樹脂を含むことが好ましい。従って、吸収性コアは親水性繊維（特にパルプ繊維）と吸水性樹脂を含むことが好ましい。この場合、例えば、親水性繊維の集合体に吸水性樹脂を混合または散布したものを用いることが好ましい。
【００６０】
吸収性コアは、シート状吸収体であってもよい。シート状吸収体としては、不織布間に吸水性樹脂を有しパルプ繊維を有しないように形成されたものが挙げられる。このように形成されたシート状吸収体は不織布間に吸水性樹脂を有するため、高い吸収容量を実現できる。また、シート状吸収体は不織布間にパルプ繊維を有しないため、嵩張らず薄型に形成することができる。
【００６１】
シート状吸収体としては、吸収性材料として吸水性繊維を用いてもよい。この場合もまた、シート状吸収体が嵩張らず薄型に形成される。吸水性繊維としては、プロトン化または塩形成したカルボキシル基を含有する繊維が挙げられる。例えば、特公昭５２−４２９１６号公報に開示されるように、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【符号の説明】
【００６２】
１：  使い捨てパンツ型おむつ
２：  外装部材
３：  ウェスト開口部
４：  脚開口部
７：  吸収性本体
８：  トップシート
９：  バックシート
１０：  吸収性コア
１１：  第１股部弾性部材
１２：  第２股部弾性部材
１５：  辺縁部
１７：  第１脚部弾性部材
１８：  第２脚部弾性部材
Ｐ：  前腹部
Ｑ：  後背部
Ｒ：  股部
【図１】
2014180347.tif 000003
【図２】
2014180347.tif 000004
【図３】
2014180347.tif 000005
【図４】
2014180347.tif 000006
【図５】
2014180347.tif 000007
【図６】
2014180347.tif 000008
【図７】
2014180347.tif 000009
【図８】
2014180347.tif 000010